(57)【要約】  【課題】背もたれをバックフレームにネット状バックシートが張られた構造にしている椅子において、背もたれのフィット性とクッション性とを向上させる。  【手段】バックシート１４は袋状に形成されており、その内部に、バックフレーム１３の左右サイドメンバー１３ａに固定された板状支持体１６と、板状支持体１６の手前に位置したランバーサポート１５とを配置している。板状支持体１６は着座者の体圧によって後方に沈むように撓み変形し得る。バックシート１４の弾性変形と板状支持体１６の弾性変形との２つの作用により、高いフィット性とクッション性とを確保することができる。【選択図】    図１
2006181205.tif 000002
【特許請求の範囲】
【請求項１】
背もたれ又は座若しくは両方を、表裏に開口したフレームで身体受け部を支持した構造としている椅子であって、
前記身体受け部は、少なくとも、着座した人の体圧が掛かると当該体圧の作用方向に沈むように弾性変形する板状支持体を備えており、この板状支持体の周縁部を前記フレームに取付けている、
椅子。
【請求項２】
前記身体受け部は、前記板状支持体に加えて、可撓性を有するシート状支持体を備えており、着座した人の体圧がシート状支持体を介して板状支持体で支持されるようになっている、
請求項１に記載した椅子。
【請求項３】
前記フレームは背もたれを構成するバックフレームであって、前記板状支持体の前面又は裏面に、着座した人の腰又は背を集中的に押すランバーサポートを配置している、
請求項２に記載した椅子。
【発明の詳細な説明】
【技術分野】
【０００１】
本願発明は、椅子に関するものである。
【背景技術】
【０００２】
椅子の背もたれや座は様々の構造のものがあるが、事務用回転椅子の場合、一般に、合成樹脂製のシェルにクッションを張った構造のものと、フレームにネットを張った構造とが多用されている。
【０００３】
また、いずれのタイプにおいても、背もたれについては、着座した人の腰や背を部分的に強く押すためのランバーサポートを設けることが行われている。バックフレームにネットが張られた構造の背もたれにおいてランバーサポートを設けたものとしては、例えば特許文献１が挙げられる。
【特許文献１】特開２００４−４９６５７号公報
【発明の開示】
【発明が解決しようとする課題】
【０００４】
ところで、椅子の背もたれについて見ると、背もたれに凭れ掛かった状態での座り心地を高めるには、背もたれのクッション性を向上させる必要がある。この点について、樹脂製の背板（インナーシェル）にクッション材を張った構造において、背板を着座者の体圧（背もたれ荷重）によって撓み変形する構造とすることによってクッション性を高めることが行われている。
【０００５】
この場合、背板は背支柱に固定しているのが一般的であり、従って、背板は縦長中心線を挟んだ左右両側の部分が後方に曲がるように変形することになる。更に述べると、背板は一般に平面視で前向き凹状（弓形）に湾曲しているが、着座者の背もたれ荷重によって背板は平坦に近づくように変形することになり、全体として後方に移動するような変形は行われず、このためクッション性に劣る場合があった。
【０００６】
他方、特許文献１のようにバックフレームにバックシートを張った構造の椅子の場合、バックシートは着座者の背もたれ荷重によって伸びるように若干の弾性を有しており、このため、着座者が背もたれにもたれ掛かるとバックシートは後方に沈むように延び変形することになる。しかし、バックシートはピンと張った状態でバックフレームに取付けられているため、着座者の身体を包み込むような機能に乏しく、この点で座り心地を向上できない場合があった。
【０００７】
また、特許文献２において、ランバーサポートはバックフレームに固定した支持体に取付けられているが、支持体は剛体構造であるため、ランバーサポートによる突き上げ感が強すぎる場合があった。
【０００８】
本願発明は、このような現状を改善することを課題とするものである。
【課題を解決するための手段】
【０００９】
本願発明者は、前記の課題を解決すべく、各請求項の構造を創作した。このうち請求項１の発明は、背もたれ又は座若しくは両方を、表裏に開口したフレームで身体受け部を支持した構造としている椅子において、前記身体受け部は、少なくとも、着座した人の体圧が掛かると当該体圧の作用方向に沈むように弾性変形する板状支持体を備えており、この板状支持体の周縁部を前記フレームに取付けている。
【００１０】
請求項２の発明は、請求項１において、前記身体受け部は、前記板状支持体に加えて、可撓性を有する（すなわち、折り畳み自在）シート状支持体を備えており、着座した人の体圧がシート状支持体を介して板状支持体で支持されるようになっている。
【００１１】
請求項３の発明は請求項２の発明を背もたれに適用したものであり、前記フレームは背もたれを構成するバックフレームであって、前記板状支持体の前面又は裏面に、着座した人の腰又は背を集中的に押すランバーサポートを配置している。
【発明の効果】
【００１２】
請求項１の発明によると、フレーム構造の背もたれ又は座において、着座者の身体は弾性変形する板状支持体で支持されるが、板状支持体はその周縁部がフレームに取付けられていることにより、板状支持体は、背もたれの場合は全体として後方に沈むように変形し、座の場合は全体として下方に沈むように変形する。このため、着座者に高いフィット感を与えて座り心地を向上させることができる。また、板状支持体は、予め人の身体にフィットする形状に製造できるため、ネット状のバックシートのみで支持する場合に比べてもフィット性を向上できる。
【００１３】
請求項２のようにシート状支持体と板状支持体とを併用すると、シート状支持体を単体のみで使用する場合に比べて弾性変形しやすい構造にしておくことにより、より高いフィット性とクッション性とを確保することができて、より好適である。
【００１４】
また、請求項３のように背もたれに適用してランバーサポートを設けると、ランバーサポートも着座者の背もたれ荷重によって弾性に抗して後方に移動するため、ランバーサポートによる過度の突き上げ感をなくして着座者に快適な座り心地を提供することができる。
【発明を実施するための最良の形態】
【００１５】
次に、本願発明の実施形態を図面に基づいて説明する。本実施形態は椅子の背もたれに適用している。
【００１６】
(1).第１実施形態の概要
図１〜図１０では第１実施形態を示している。図１は椅子の全体斜視図、図２（Ａ）は正面図、図２（Ｂ）は部分的な背面図、図３は左側面図である。これらの図面から理解できるように、本実施形態は事務用等の回転椅子に適用しており（勿論、パイプ椅子等の非回転式椅子や講堂用椅子のような固定式椅子にも適用できる）、椅子は、キャスター及びガスシリンダ式脚柱を備えた脚１と、脚柱の上端に固定した支持ベース２と、座３と背もたれ４とを備えている。
【００１７】
支持ベース２は上向きに開口した箱状の形態であり、その前部には中間支持体５が左右長手の第１軸６によって傾動自在に取付け（連結）されており、座体３はこの中間支持体５に前後位置調節可能に装着されている。また、支持ベース２の前後略中間部には背受け部材７が左右長手の第２軸８によって後傾動自在に連結されており、背受け部材７の前後中途部と中間支持体５とは左右長手の第３軸９によって相対傾動自在に連結されている。
【００１８】
詳細は省略するが、第１軸６は支持ベース２に対して前後動可能に挿通されており、かつ、第１軸６は支持ベース２の内部に配置したばね（図示せず）によって後方から支持されている。このため、座体３は背もたれ４の後傾動に連動して（シンクロして）後傾しつつ後退動する。
【００１９】
背受け部材７と支持ベース２とはガスシリンダ１０で連結されており、ガスシリンダ１０をロック状態とフリー状態とに切り換え操作することにより、背もたれ４は、背受け部材７の外面側に配置したレバー１１の回動操作により、自在に後傾動するフリー状態と任意の姿勢で後傾不能に保持されたロック状態とに切り換えることができる。図示していないが、ガスシリンダの前端部は支持ベースの後端部に突設したブラケットにピンで回動可能に取付けられている。
【００２０】
図２（Ｂ）及び図３に示すように、背受け部材７の左右後部に後方及び下方に開口した凹部（或いは段部）２４を形成して、この凹所２４にガスシリンダ１０を操作するためのレバー１１が配置されている。このように構成すると、レバー１１がバックフレーム１３の外側にはみ出ることを防止できるため、体裁が良いと共に例えば人の衣服がレバー１１に引っ掛かるといったことも防止でき、更に、ランバーサポート１５の操作部１５ａとの干渉を回避できる利点がある。
【００２１】
レバー１１は、図２（Ｂ）に一点鎖線で示す回動構造を採用することもできる。すなわち、レバー１１を中心軸１１ａと平行な偏心軸１１ｃに取り付けて、偏心軸１１ｃと中心軸１１ａとを連結体１１ｂで連結することにより、全体としてクランク状の回動構造にしたものであり、中心軸１１ａは背受け部材７に軸受けを介して回転自在に取付けられている。この場合は、背受け部材７には必ずしも凹所２４を形成する必要はない。なお、レバー１１は背受け部材７の片側（一般には右側が多い）に設ければ良いことは言うまでもない。
【００２２】
背もたれ４は、サイドメンバー１３ａ及びその上端に繋がったアッパーメンバー１３ｂとから成るバックフレーム１３と、このバックフレーム１３に被さった袋状のバックバックシート１４を備えている。バックフレーム１３は背もたれ４の外形を構成するもので、バックフレーム１３で囲われた部分は前後に開口して空間になっている（例えば左右のサイドメンバー１３ａを上下途中高さ位置で連結する中間メンバーを備えていても良い）。
【００２３】
バックシート１４は、着座者の背中が当たる表面部１４ａとその裏側に位置した裏面部１４ｂとを備えており、両者の間には空間が空いている。そして、表面部１４ａと裏面部１４ｂとの間の空間に、主として着座者の腰椎を支持するランバーサポート１５が上下動自在に配置されている。ランバーサポート１５は、その裏側に配置した板状支持体１６に上下動自在に取り付けられている。本実施形態では、板状支持体１６とバックシート１４とが身体受け部を構成している。
【００２４】
そして、ランバーサポート１５はバックシート１４の外側に露出する操作部（アーム部）１５ａを備えており、バックシート１４の左右側部下部（下コーナー部）には、ランバーサポート１５の操作部１５ａを露出させるための切欠き１７が形成されている。
【００２５】
なお、バックフレーム１３のアッパーメンバー１３ｂはサイドメンバー１３ａとは別部材に構成しているが、サイドメンバー１３ａとアッパーメンバー１３ｂとを単一部材とすることも可能である。
【００２６】
(2).背もたれの詳細
次に、背もたれの詳細を図４以下の図面も参照して説明する。図４（Ａ）はバックシートを省略した状態での正面図、図４（Ｂ）（Ｃ）は板状支持体１６の取付け例を示す断面図、図５は背受け部材７の斜視図、図６のうち（Ａ）はバックシート１４の取り付け状態を示す側断面図、（Ｂ）はバックシート１４の取り付け手順を示す図、図７のうち（Ａ）は図２のVIIIA-VIIIA 視断面図、（Ｂ）は図２のVIIIB-VIIIB 視断面図、図８のうち（Ａ）はランバーサポート１５とその板状支持体１６との分離斜視図、（Ｂ）はランバーサポート１５を板状支持体１６に取り付けた状態の斜視図、（Ｃ）は（Ｂ）のＣ−Ｃ視断面図、図９のうち（Ａ）は板状支持体１６及びランバーサポート１５の要部背面図、（Ｂ）はランバーサポート１５の部分斜視図、図１０のうち（Ａ）は図１０のXIIA-XIIA 視断面図、（Ｂ）は図１０のXIIB-XIIB 視断面図、（Ｃ）は図１０のXIIC-XIIC 視断面図、（Ｄ）は（Ａ）のＤ−Ｄ視断面図である。
【００２７】
図５から容易に理解できるように、背受け部材７は、左右の前向きアーム７ａを備えており、このアーム７ａの上面にブリッジ状ブラケット２２をねじ止めで固定している。背受け部材７はその左右アーム７ａの先端が第２軸８によって支持ベース２に連結されており、ブリッジ状ブラケット２２に取り付けた軸受け部材（図示せず）に第３軸９が保持されている。第３軸９は背受け部材７に直接に連結することも可能である。
【００２８】
背受け部材７はアルミダイキャストのような金属の一体成形品であり、その後部は平坦部７ｂとなっており、平坦部７ｂの後端にはその上下にはみ出た後ろ壁部７ｃが左右略全長にわたって延びるように形成されている。平坦部７ｃの上面のうち後ろ壁部７ｃの手前側には左右に分離した土手部７ｄが上向きに突設されており、土手部７ｄと後ろ壁部７ｃとの間が、バックシート１５の下端を固定するための縁部材固定部７ｅになっている。
【００２９】
背受け部材７の左右両端部後部には、バックフレーム１３のサイドメンバー１３ａを取付けるための起立部７ｆを設けている。起立部７ｆはバックフレーム１３のサイドメンバー１３ａと同じ平面形状であり、サイドメンバー１３ａは連結軸２３を介して起立部７ｆに固定されている。バックフレーム１３のサイドメンバー１３ａは断面楕円形の中空パイプを素材として製造しており、その下端の内部には、連結軸２３を嵌めるための中子体（図示せず）が固着されている。
【００３０】
詳細は省略するが、背受け部材７は下向きに開口しており、その内部に、ガスシリンダ１０を取付けるための金具２５や、ガスシリンダ１０を操作するための操作軸、操作軸を保持する軸受け部材等を配置している。
【００３１】
背受け部材７の起立部７ｆとバックフレーム１３のサイドメンバー１３ａとはビスによって連結軸２３に抜け不能に保持されている。バックフレーム１３のアッパーメンバー１３ｂとサイドメンバー１３ａとは、両者に貫通した中子体（図示せず）を介して連結されている。なお、バックフレーム１３を背受け部材７と一体構造とすることも可能である。逆に、背受け部材７を複数のパーツで構成することも可能であり、更に、背受け部材７は板金製や樹脂製とすることも可能である。
【００３２】
バックシート１４は適度の空隙を有する織地又は編地を素材として製造されており、表面部１４ａと裏面部１４ｂとの左右側部は縫着や融着によって一体に繋がっている。そして、図６や図７に示するように、表面部１４ａの下端縁と裏面部１４ｂの下端縁とは、それぞれ樹脂板又は金属板から成る平面視弓形（緩い曲率の三日月状）の縁部材２０，２１に縫い付け（溶着や接着でも良い）によって離脱不能に固定されている。縁部材２０，２１は背受け部材７における縁部材固定部７ｅに殆どずれない状態に嵌まる寸法に設定されている。
【００３３】
図５及び図６に示すように、本実施形態では、表面部１４ａに固着した縁部材２０に複数本（４本）のボルト（ねじ軸）３１を左右適宜間隔で下向き突設する一方、裏面部１４ｂの下端に固着した縁部材２１にはボルト３１が貫通する通穴３２を形成しており、両縁部材２０，２１を重ねた状態でボルト３１を背受け部材７に設けた取付け穴３３に上方から貫通して、ボルト３１にナット３４をねじ込むことにより、両縁部材２０，２１を背受け部材７に共締めしている。勿論、バックシート１４は他の方法で背受け部材７に固定してもよい。
【００３４】
板状支持体１６は、合成樹脂製であり、左右横長でかつ中間部に行くに従って上下巾が狭くなっている。また、撓み変形を容易ならしめる弱化手段の一例として、左右両端部に外向きの凹所を形成して当該左右両端部を二股状に形成することによって４本の足部１６ａを形成しており（すなわち、正面視で略横長Ｘ字状に形成しており）、各足部１６ａの先端をバックフレーム１３のサイドメンバー１３ａに取付けている。板状支持体１６は前後方向に撓み変形可能な柔構造になっており、このため、板状支持体１６も背もたれ４のクッション性を担っている。
【００３５】
板状支持体１６の取付け手段としては、図４（Ｂ）に示すように、ビス１６ｂでサイドメンバー１３ａの前面に固定しているが、図４（Ｃ）に変形例として示すように、サイドメンバー１３ａの内側面又は裏面にブラケット１６ｃを溶接等によって固定し、このブラケット１６ｃの前面又は裏面にビス１６ｂで固定することも可能である。
【００３６】
ランバーサポート１５は合成樹脂製であり、例えば図７及び図８から理解できるように、ランバーサポート１５のうち着座した人の身体に当たる支持部は正面視で楕円形でかつ平面視では前向き凹状に湾曲しており、支持部の下部に左右に延びる操作用アーム１５ｂを一体に形成し、操作用アーム１５ｂの先端を操作部１５ａとしてバックシート１４の切欠き１７から露出させている。
【００３７】
また、ランバーサポート１５を上下動自在に支持するガイド手段として、板状支持体１６に上下長手のガイド溝３６とその下方に位置した第２突起３７とを形成する一方、ランバーサポート１５の裏面に、ガイド溝３６に嵌合する頭３８ａ付き第１突起３８と、板状支持体１６の第２突起３７を左右ずれ不能に挟み保持する左右一対のガイドレール部３９を形成している。本実施形態では、ガイド溝３６と第１突起３８とは主ガイド手段を構成し、第２突起３７とガイドレール部３９とは補助ガイド手段を構成している。
【００３８】
第１突起３８は上下に２本あってガイド溝３６に摺動自在に嵌まる太さであり（上下に長い１つの板状支持体に形成しても良い）、頭３８ａはガイド溝３６の溝幅よりも大きい外径である。頭３８ａは正面視で円形に形成されており、板状支持体１６への頭３８ａの嵌め入れを許容するため、板状支持体１６には、ガイド溝３６の下端と連通した円形の窓穴４０を開けている。
【００３９】
この場合、窓穴４０の内部に、窓穴４０の内周面とは間隔を隔てて分離している舌片４０ａを、その上端が自由端となって下端が付け根となるように形成し、かつ、舌片４０ａの下端の付け根４０ａを細巾に形成している。換言すると、舌片４０ａは団扇状に形成されている。
【００４０】
ランバーサポート１５は、舌片４０の弾性に抗して第１突起３８を窓穴４０に挿入してから上方にスライドさせることにより、板状支持体１６にワンタッチ的に取付けることができる。板状支持体１６の舌片４０ａは弾性変形するため第１突起３８の挿入には支障はなく、かつ、第１突起３８を上方にスライドさせると舌片４０ａが元の姿勢に戻ることにより、第１突起３８が下降しても窓穴４０には入り込まず（すなわち舌片４０ａがストッパーとして働き）、このため、ランバーサポート１５を下端まで下降させても外れることはない。
【００４１】
ランバーサポート１５のうち第１突起３８を挟んだ左右両側に側面視後ろ向き山形の爪４１が形成されている一方、板状支持体１６には爪４１の先端が当たる凹凸部４２を形成している。爪４１の左右両側はスリット４３で分断されており、このため弾性に抗して前後方向に移動し得る。このため、ランバーサポート１５を軽い力で段階的に高さ調節することができる。
【００４２】
ランバーサポート１５の操作部１５ａはバックフレーム１３のサイドメンバー１３ａの外側にはみ出しており、このはみ出し部分を後ろ向き凸の碗状に形成している。これは、操作部１５ａにある程度のボリュームを持たせて人が掴みやすくするため、及び、碗状の部分をサイドメンバー１３ａの外側面に当てることによって上下動をガイドさせるためである。操作部１５ａはサイドメンバー１３ａからはみ出ない構成とすることも可能であり、この場合は、操作部１５ａはフラットのままでも良いし、前向き凸の碗状に形成してもよい。
【００４３】
以上の構成において、着座した人が背もたれ４にもたれ掛かると、人の体圧（凭れ荷重）はバックシート１４に作用し、背もたれ荷重のうちの一部はランバーサポート１５を介して板状支持体１６で支持される。そして、例えば図１０（Ｂ）一点鎖線で示すように、板状支持体１６は全体として後方に沈むように弾性変形するため、着座者に対して高いフィット性とクッション性とを与えることができ、これにより、過度の突き上げ感を無くして快適な座り心地を得ることができる。
【００４４】
なお、人が椅子を使用する場合、背もたれ４に凭れ掛かってロッキングさせることなく、ランバーサポート１５に腰を当てて上半身を略直立させた姿勢で作業（例えばパソコンの操作）を行うことも多いが（実際にはこのような使用態様が多い）、この状態でランバーサポート１５が板状支持体１６の弾性に抗して若干ながら後退し得るため、突っ張り感を無くして快適な座り心地を得ることができる。
【００４５】
なお、身体受け部としてバックシート１４と板状支持体１６とを併用する場合、背もたれ荷重はバックシート１６によって広い面積で支持されるため、板状支持体１６はランバーサポート１５の箇所のみに位置するように上下巾が小さいもので構わない。
【００４６】
(4).第２実施形態（図11）
図１１では、本願発明の第２実施形態を示している。この例でもバックシート１４は袋状に形成されており、バックシート１４の中空部内に、合成樹脂製の板状支持体１６とランバーサポート１５とが配置されている。板状支持体１６には、変形容易化手段として多数のスリット４６が形成されており、左右端部でかつ下部が、バックフレーム１３のサイドメンバー１３ａにブラケット４７を介して固定されている。板状支持体１６の左右側部は殆ど撓み変形しない剛体構造になっている。
【００４７】
この実施形態では、ランバーサポート１５は第１実施形態とは異なって殆ど撓み変形しない剛構造になっており、ランバーサポート１５を板状支持体１６の裏側に配置している。図面では表示していないが、この例では、板状支持体１６に第１突起３８が形成され、ランバーサポート１５にガイド穴３６が形成されることになる。また、符号４８で概念的に示すように、上下長手の上下長手のレールからなるガイド手段が上下長手の中心線を挟んだ左右両側に配置されている。
【００４８】
第１実施形態で説明したガイド穴３６と第１突起３８とから成るガイド手段、或いは、第２突起３７とガイドレール部３９とからなる補助ガイド手段は、板状支持体１６及び操作アーム１５ｂの左右側部に形成したり、左右両側部と中間部との３カ所に形成するなどしてもよい。また、ガイドレール部に代えて長溝を採用してもよい。要は、ランバーサポート１５のガイド部と支持体のガイドとが嵌まり合って上下方向に相対動したら良いのである。
【００４９】
(5).第３〜第４実施形態（図12〜図13）
図１２では板状支持体の変形例である第３実施形態を示している。この実施形態では板状支持体１６はバックフレーム１３との間に若干の間隔が空く程度の広い面積に形成されており、また、変形容易化手段の一例として左右外向きに開口した凹所１６ｄを形成している。前記両実施形態と同様にバックシート１４を備えている。
【００５０】
なお、バックシート１４と板状支持体１６とは荷重が掛かっていない状態で密着させておいても良いし、背もたれ荷重が掛かってからバックシート１４が板状支持体１６に当たるように設定しておいても良い。また、板状支持体１６をバックフレーム１３に取付ける位置は特に限定はなく、バックフレーム１３のアッパーメンバー１３ｂ及びリアメンバー１３ｃに取付けても良いし、或いは、バックフレーム１３の４つのコーナー部に取付けるなどしても良い。
【００５１】
図１３に示す第４実施形態は板状支持体１６の撓み変形容易化手段の別例であり、このうち（Ａ）に示す例では、板状支持体１６の側縁部に湾曲部１６ｅを形成している。また、（Ｂ）に示す例では、サイドメンバー１３ａの前面と板状支持体１６との間に間隔を空けている。
【００５２】
(6).その他
本願発明は上記の実施形態の他にも様々に具体化できる。例えば、必ずしもバックシートは必要はなく、板状支持体にクッション材を張った構造とすることも可能である。例えば背もたれに適用する場合、複数の板状支持体を上下に分けて配置することも可能である。
【図面の簡単な説明】
【００５３】
【図１】第１実施形態に係る椅子の斜視図である。
【図２】（Ａ）は椅子の正面図、（Ｂ）は部分的な背面図である。
【図３】椅子の側面図である。
【図４】(A)はバックシートを省略した状態での正面図、(B)(C)は板状支持体の取付け方法を示す図である。
【図５】背受け部材の斜視図である。
【図６】(A)はバックシートの取り付け状態を示す側断面図、 (B)はバックシートの取り付け手順を示す図である。
【図７】(A)は図２の VIIA-VIIA視断面図、 (B)は図２のVIIB-VIIB 視断面図である。
【図８】(A)はランバーサポートと板状支持体との分離斜視図、 (B)はランバーサポートを板状支持体に取り付けた状態の斜視図、 (C)は (B)の C-C視断面図である。
【図９】(A)は支持体及びランバーサポートの要部背面図、 (B)はランバーサポートの部分斜視図である。
【図１０】(A)(B)(C) は図９のXA-XA 視,XB-XB視, XC-XC 視断面図、 (D)は (A)の D-D視断面図である。
【図１１】第２実施形態を示す図である。
【図１２】第３実施形態を示す図である。
【図１３】第４実施形態を示す図である。
【符号の説明】
【００５４】
２  支持ベース
３  座体
４  背もたれ
７  背受け部材
１３  バックフレーム
１３ａ  サイドメンバー
１４  身体受け部を構成するバックシート
１５  ランバーサポート
１６  身体受け部を構成する板状支持体
１６ａ  足部
【図１】
2006181205.tif 000003
【図２】
2006181205.tif 000004
【図３】
2006181205.tif 000005
【図４】
2006181205.tif 000006
【図５】
2006181205.tif 000007
【図６】
2006181205.tif 000008
【図７】
2006181205.tif 000009
【図８】
2006181205.tif 000010
【図９】
2006181205.tif 000011
【図１０】
2006181205.tif 000012
【図１１】
2006181205.tif 000013
【図１２】
2006181205.tif 000014
【図１３】
2006181205.tif 000015